(57)【特許請求の範囲】
【請求項１】
単糸繊度１００デニール以下、起毛長１〜１０ｍｍ、起毛密度４００〜２５０００本／ｃｍ2の起毛を有する片面又は両面起毛布の少なくとも起毛面に、
乾燥後の重量が３０〜１００ｇ／ｍ2、且つ発泡前の粘度がＢＭ型粘度計のＮｏ．４ロータ×６ｒｐｍでの測定で１００００〜１８０００ｍＰａ・ｓの範囲である発泡アクリル系樹脂エマルジョンによる層を形成してなり、
前記発泡アクリル系樹脂エマルジョンの発泡度合いが１．５〜６．０倍であって、
発泡アクリル系樹脂エマルジョン層を有する起毛面において、起毛の少なくとも半数が、その根元から先端までを該発泡アクリル系樹脂エルマジョン層で被覆されており、
この被覆された起毛のうちの少なくとも半数が、少なくともその先端部において横臥してなることを特徴とする基布。
【発明の詳細な説明】
【０００１】
【発明の属する技術分野】
本発明は、各種シート材の基布、ブーツ，シューズ，カバン類，防寒衣料，ベルト類，家具類等の裏打材、あるいは建築材料等として使用できる基布に関し、特に、これらの各種製品に嵩高感や重厚感、あるいは適度な保温効果を付与すると共に、これら各製品（シート材、ブーツ、シューズ、カバン類、防寒衣料、ベルト類、家具類等）の表皮材、その他の素材との固定性が良好な基布に関する。
【０００２】
【技術背景】
従来から、上記のシート材の基布、ブーツ，シューズ，カバン類，防寒衣料，ベルト類，家具類等の裏打材等としては、合成繊維や天然繊維等製の織布、不織布、編布、起毛布等が広く使用されている。
【０００３】
これらの基布や裏打材は、一般には、ボリューム感（嵩高感・重厚感）に乏しい。
従って、製品に嵩高感・重厚感を付与するためには、これらの基布や裏打材と表皮材との間に発泡層を介在させる等の工夫を施したものが知られている。
【０００４】
また、防寒衣料等の裏打材として使用される起毛布にあっては、保温効果を高める目的で、起毛長を長くしたり、起毛密度を高めた、嵩高感に富むものを使用することがあり、この場合には上記のような問題はある程度解消されるものの、起毛部の見かけ密度が低いため、重厚感が不足する。すなわち、起毛布の起毛面に表皮材を接着剤で固定すると、表皮材が起毛によって浮き上がり、所望の重厚感を現出することができない。
【０００５】
【発明の目的】
本発明は、これらの欠点を解消し、嵩高感に富むばかりか、重厚感をも有し、製品の外観を優れたものとすることができる基布を提供することを目的とする。
【０００６】
【発明の概要】
本発明の基布は、上記目的を達成するために、単糸繊度１００デニール以下、起毛長１〜１０ｍｍ、起毛密度４００〜２５０００本／ｃｍ2の起毛を有する片面又は両面起毛布の少なくとも起毛面に、
乾燥後の重量が３０〜１００ｇ／ｍ2、且つ発泡前の粘度がＢＭ型粘度計のＮｏ．４ロータ×６ｒｐｍでの測定で１００００〜１８０００ｍＰａ・ｓの範囲である発泡アクリル系樹脂エマルジョンによる層を形成してなり、
前記発泡アクリル系樹脂エマルジョンの発泡度合いが１．５〜６．０倍であって、
発泡アクリル系樹脂エマルジョン層を有する起毛面において、起毛の少なくとも半数が、その根元から先端までを該発泡アクリル系樹脂エルマジョン層で被覆されており、
この被覆された起毛のうちの少なくとも半数が、少なくともその先端部において横臥してなることを特徴とする。
【０００７】
本発明における片面又は両面起毛布は、ポリエステル、ナイロン、ポリアクリロニトリル、ポリオレフィン、ポリビニルアルコール等の合成繊維、綿、麻、絹等の天然繊維、レーヨン、スフ、アセテート等の再生繊維、これらの混合繊維、混紡繊維等からなる織布、不織布、編布（以下、ベース布と記すこともある）に、上記の合成繊維、天然繊維、再生繊維、これらの混合繊維、混紡繊維等からなる起毛が、公知の手法により植毛されたもの、あるいはパイル織りされたもの、その他適宜の公知の手法により起毛されたもの等が使用できる。
【０００８】
この片面又は両面起毛布は、起毛の単糸繊度が１００デニール以下で、起毛長が１〜１０ｍｍ、好ましくは２〜８ｍｍ、起毛密度が４００〜２５０００本／ｃｍ２、好ましくは１０００〜１００００本／ｃｍ２のものを使用する。
なお、単糸繊度とは、起毛１本毎の繊度をいい、起毛長とは、上記の起毛が上記のベース布に接している部分（根元）から先端までの長さをいい、起毛密度とは、上記のベース布１ｃｍ２当たりの上記の起毛の本数をいう。
【０００９】
起毛長が１ｍｍ未満で、起毛密度が４００本／ｃｍ２未満では、所望の嵩高感や重厚感を得ることができなかったり、基布から発泡アクリル系樹脂エマルジョンが脱落し易くなり、起毛長が１０ｍｍより長く、起毛密度が２５０００本／ｃｍ２より大きいと、嵩高感や重厚感は十分となるものの、発泡アクリル系樹脂エマルジョンによる被覆がし難くなり、起毛の少なくとも半数がその根元から先端までを発泡アクリル系樹脂エルマジョンで被覆されることが極めて困難ないしは不可能となる。
【００１０】
本発明の基布は、上記の片面又は両面起毛布の少なくとも起毛面に、乾燥後の重量（両面に形成される場合は片面当たりの重量）が３０〜１００ｇ／ｍ２の、発泡アクリル系樹脂エマルジョンによる層が形成されていることを必要とする。
乾燥後の重量が３０ｇ／ｍ２未満であると、所望の嵩高感や重厚感を得ることができないばかりか、起毛の少なくとも半数を、その根元から先端までを被覆することができない場合があり、また被覆された起毛のうちの少なくとも半数を、少なくともその先端部において横臥することができない場合があり、しかも本発明の基布を光にかざしたときに、発泡アクリル系樹脂エマルジョン層及び起毛布を通して光が散点状に透過せず、この散点の面積の合計が全面積の５％を超えてしまう。
乾燥後の重量が１００ｇ／ｍ２より多いと、嵩高感や重厚感を得ることはできるものの、基布の重量増を招く上、取扱性や加工性を低下させる。
【００１１】
発泡アクリル系樹脂エマルジョンの発泡度合いは、用途に応じて適宜変更されるが、本発明では、上記の乾燥厚さにおいて、１．５〜６．０倍程度が適している。
発泡度合いが小さすぎれば、発泡アクリル系樹脂エマルジョンが浸透し易くなって、起毛布の織り目や編み目等の組織の中に深く浸透し、得られる基布の風合いが硬くなるおそれがあり、大きすぎると、逆に浸透し難くなって、起毛の先端にのみ発泡アクリル系樹脂エマルジョン層が形成されて、起毛の根元を被覆することができなくなるばかりか、所望の嵩高感や重厚感を得ることができない。
【００１２】
また、この発泡アクリル系樹脂エマルジョンは、発泡前のアクリル系樹脂エマルジョンの粘度が、ＢＭ型粘度計（（株）東京計器製造所）のＮｏ．４ロータ×６ｒｐｍでの測定で、１００００〜１８０００ｍＰａ・ｓの範囲内にあることが適している。
１００００ｍＰａ・ｓ未満では、機械発泡が困難となるばかりか、発泡アクリル系樹脂エマルジョンを調製し得たとしても、起毛布の織り目や編み目等の組織の中に深く浸透してしまい、１８０００ｍＰａ・ｓより高いと、起毛の先端にのみ発泡アクリル系樹脂エマルジョン層が形成されてしまう。
【００１３】
このアクリル系樹脂としては、アクリル酸、アクリル酸エステル、アクリルアミド、アクリルニトリル、メタクリル酸エステル等のホモポリマー；これらのモノマーとスチレン、その他のモノマーとの共重合体が使用できる。
これらのアクリル系樹脂には、必要に応じて、アクリル系樹脂に配合される通常の起泡剤、整泡剤、架橋剤、粘度調整剤、着色剤、充填剤、老化防止剤等の添加剤を、通常の発泡アクリル系樹脂エマルジョンに配合する量の範囲内で配合することができる。
【００１４】
本発明における発泡アクリル系樹脂エマルジョンは、オークスミキサー等のメカニカルフォーム用ミキサーを用いて、上記のアクリル系樹脂エマルジョンに細かな空気粒を均一に混入させることによって得られる。
この空気粒が混入した状態のエマルジョンを上記の起毛布に、上記の塗布量で塗布し、加熱して水分を蒸発させることによって、本発明の基布を得ることができる。
【００１５】
このときの空気粒の混入量は、発泡アクリル系樹脂エマルジョン層の所望の発泡度合いや、本発明の基布の用途によって異なり一概には決められないが、一般には、アクリル系樹脂エマルジョン１ｋｇ当たり、０．５〜５リットル（以下、Ｌと記す）程度、好ましくは１〜２Ｌ程度が適しており、この範囲内から所望の発泡度合いや用途に応じて適宜選定される。
【００１６】
上記の発泡アクリル系樹脂エマルジョンの起毛布への塗布は、ドクターナイフコーター、コンマドクターコーター、その他通常の塗布手段で行うことができる。
【００１７】
また、起毛布へ塗布した後の発泡アクリル系樹脂エマルジョンの加熱乾燥は、１５０〜１８０℃で５〜１５分で行うことが好ましい。
１５０℃未満で５分未満では、十分な乾燥（水分蒸発）ができないばかりか、十分な架橋反応をも生起しない。１８０℃より高温で１５分より長時間であっても、この作用効果は飽和するため、熱経済上好ましくないばかりか、場合によっては変色が発生することもある。
この加熱操作は、加熱炉によって行うことが好ましい。
【００１８】
上記のようにして得られる本発明の基布は、光にかざしたときに、発泡アクリル系樹脂エマルジョン層及び起毛布を通して光が散点状に透過することが好ましい。
光の透過が散点状でなければ、発泡アクリル系樹脂エマルジョン層が均一に形成されておらず、本発明の基布を使用した各種製品に所望の嵩高感や重厚感、あるいは適度な保温効果を付与することができなくなる。
そして、この散点の面積の合計は、全面積の５％以下であることが好ましい。この合計の下限値は、０％すなわち光の透過がなくてもよいが、上記した各種製品に所望の嵩高感や重厚感、適度な保温効果を付与する上では、下限値は０．０１％程度とすることが適している。
【００１９】
また、上記のようにして得られる本発明の基布は、起毛の少なくとも半数が、その根元から先端までを発泡アクリル系樹脂エルマジョン層で被覆されている。なお、本発明において、先端から起毛長の９０％以上被覆されているものは、根元まで被覆されているものとする。
その根元から先端までを発泡アクリル系樹脂エルマジョン層で被覆された起毛が、起毛の半数未満では、発泡アクリル系樹脂エマルジョン層で被覆する技術的効果が十分に得られず、本発明の基布を使用した各種製品に所望の嵩高感や重厚感を付与することができなくなる。
【００２０】
そして、この被覆された起毛のうちの少なくとも半数が、少なくともその先端部において横臥している。この横臥により、本発明の基布における起毛部の表面が平坦状となって、表皮材を貼着させる際に、浮き上がらせることなく、良好に固定することができる。
【００２１】
以上の本発明の基布は、例えばウレタン系樹脂、アクリル系樹脂、塩化ビニル系樹脂等、好ましくは薄手の表皮材が形成できるウレタン系樹脂からなる表皮材が設けられて、自動車内装材、各種シート材、ブーツ，シューズ，カバン類，ベルト類，家具類、あるいは建築材料等として用いられる。
このとき、表皮材は、予めシート状に成形されたものが接着剤を介して、上記基布の発泡アクリル系樹脂エマルジョン層が存在する面、該層が存在しない面（すなわち、ベース布面）、または両面に貼着されたり、あるいは上記樹脂をエマルジョン状、ペースト状、溶液状、溶融状等として、上記の基布の上記の面に、塗布、吹付け、ディップ等の方法で設けられる。
【００２２】
なお、上記のようにして表皮材を設けた後に、水中又は加湿雰囲気下で、加温又は加熱しながら揉み加工を施し、乾燥させると、本発明の基布における起毛布の織り目又は編み目の収縮が生じ、これに伴い発泡アクリル系樹脂エマルジョン層ひいては表皮材に美麗なシワが現出する。
このシワが、本発明の基布に表皮材を設けた製品、特に合成皮革等を、一層高級な天然皮革様の外観（風合い）を備えたものとすることができる。
【００２３】
また、上記のような合成樹脂に代えて各種の生地からなる表皮材を、上記の面に、接着剤により貼着したり、あるいは縫合したりして設けることもできる。
更には、合板，その他の木製板材、紙，段ボール，その他の紙製板材、各種の金属製板材等からなる表皮材を、上記の面に、接着剤により貼着したり、あるいはホッチキス止め等したりして設けることもできる。
【００２４】
【実施例】
実施例１
単糸繊度１０デニール、起毛長５ｍｍ、起毛密度１２００本／ｃｍ２の片面起毛布を用いた。
一方、アクリル系樹脂エマルジョン（イーテック社製商品名“ＦＸ８８０１Ｊ”、固形分６０重量％）１００重量部と、起泡剤（イーテック社製商品名“ＦＤ−８”）３重量部と、水性顔料（住友カラー社製商品名“ポルックスＰＣカラー”）１．０重量部を混合して粘度１４０００ｍＰａ・ｓのアクリル系樹脂エマルジョンを調製し、これをオークスミキサーにて微細な空気粒を約１Ｌ／ｋｇ混入して約２倍の容積に発泡させて発泡アクリル系樹脂エマルジョンとした。
【００２５】
上記の発泡アクリル系樹脂エマルジョンを、ナイフコーターを用い、上記起毛布の起毛面に、乾燥厚さで５０ｇ／ｍ２となるように塗布し、１７０℃のオーブンで５分間乾燥して架橋反応を促進させた後、オーブンから取出し、巻き取り、巻き取った状態で、常温で、２４時間養生した。
【００２６】
上記のようにして得られた本発明の基布は、その模式的な断面図を図１に示すが、片面起毛布１の起毛面１１に発泡アクリル系樹脂エマルジョンによる層２が形成されていた。
この基布を光にかざしたときに、発泡アクリル系樹脂エマルジョン層２及び起毛布１を通して光が散点状に透過し、この散点の面積の合計が全面積の約２％であり、また起毛本数の約９９％が、その根元から先端までを発泡アクリル系樹脂エルマジョン層２で被覆されており、この被覆された起毛本数のうちの約９９％が、図示するように、その先端部において横臥していた。
この約９９％の横臥により、上記基布の発泡アクリル系樹脂エマルジョン層２が形成された起毛面１１は、図示するように、表面が平坦状となっていた。
【００２７】
この平坦状となっている基布の起毛面に、以下の（１）と（２）の２種類の方法で、ウレタン樹脂からなる表皮材を設け、２種類のシート材（合成皮革）を作製した。
【００２８】
（１）の方法：
先ず、一液型ウレタン樹脂（大日精化工業社製商品名“レザミンＭＥ−４４”）１００重量部に対し、希釈溶剤ＤＭＦ（ジメチルホルムアミド）２０重量部、ＭＥＫ（メチルエチルケトン）２０重量部、着色剤（大日本インキ化学工業社製商品名“ダイラックＴＶカラー”）２０重量部を混合して表皮材液を調製した。
次いで、この表皮材液を、表面に微細な凹凸を所定のパターンで有する離型性の紙上に、乾燥厚さで２０ｇ／ｍ２となるように塗布し、１００℃のオーブンで３分間乾燥させ、離型性の紙の上に一液型ウレタン樹脂からなる表皮材を作成した。
この表皮材の上に、ウレタン系二液型接着剤を塗布し、上記の本発明の基布を起毛面で貼着した後、離型紙を剥離し、合成皮革を作製した。
【００２９】
（２）の方法：
（１）の方法と同様であるが、最後の表皮材の上に、ウレタン系二液型接着剤を塗布し、上記の本発明の基布を起毛面でない側で貼着した後、離型紙を剥離し、合成皮革を作製した。
【００３０】
上記（１）（２）のいずれの方法の場合も、本発明の基布の起毛面が平坦状となっているため、表皮材を美麗かつ強固に設けることができ、しかも嵩高感・重厚感のある合成皮革となっていた。
また、（１）の合成樹脂皮革を、水中にて加温し、揉み加工を施した後、乾燥させたところ、美麗なシワが表面に発生していた。
【００３１】
実施例２
起毛布は実施例１で用いた起毛布と同じものを用い、発泡アクリル系樹脂エマルジョンは実施例１で調製したものと同じ組成のものに、オークミキサーにより微細な空気粒を約２Ｌ／ｋｇの混入量で混入して、約３倍の容積に発泡させ、粘度１５０００ｍＰａ・ｓとした。
この発泡アクリル系樹脂エマルジョンを、ナイフコーターを用い、上記起毛布の起毛面に、乾燥厚さで５０ｇ／ｍ２となるように塗布し、１７０℃のオーブンで５分間乾燥して架橋反応を促進させた後、オーブンから取出し、巻き取り、巻き取った状態で、常温で、２４時間養生した。
【００３２】
上記のようにして得られた本発明の基布は、光にかざしたときに、発泡アクリル系樹脂エマルジョン層及び起毛布を通して光が散点状に透過し、この散点の面積の合計が全面積の約４％であり、また起毛本数の約９９％が、その根元から先端までを発泡アクリル系樹脂エルマジョン層で被覆されており、この被覆された起毛本数のうちの約９９％が、その先端部において横臥していた。
この約９９％の横臥により、上記基布の発泡アクリル系樹脂エマルジョン層が形成された起毛面は、平坦状となっていた。
【００３３】
この平坦状となっている基布の起毛面に、以下の要領で塩化ビニル系樹脂からなる表皮材を設け、シート材（塩ビレザー）を作成した。
すなわち、ポリ塩化ビニル１００重量部に対し、ジオクチルフタレート（可塑剤）７０重量部、安定剤３重量部、顔料４重量部を混合して表皮材コンパウンドを調製した。
次いで、このコンパウンドを、カレンダーで０．２ｍｍの厚さに圧延し、上記の本発明の基布の起毛面に積層した。
【００３４】
本発明の基布の起毛面が平坦状となっているため、表皮材を美麗かつ強固に設けることができ、外観美麗な塩ビレザーとなっていた。
また、これら塩ビレザーにおいて、基布が上記のような性状を有しているため、嵩高感や重厚感に富み、かつ適度な保温効果を有するものであった。
【００３５】
【発明の効果】
以上詳述したように、本発明の基布では、次のような効果を奏することができる。
（１）表皮材あるいは他の素材を美麗かつ強固に取付けることができる。
（２）表皮材あるいは他の素材との取付け作業を容易にすることができる。
（３）嵩高感、重厚感に富み、かつ適度な保温効果を有する各種製品（自動車内装材、各種シート材、ブーツ、シューズ、カバン類、防寒衣料、ベルト類、家具類等）に好適に適用することができる。
【図面の簡単な説明】
【図１】本発明の基布の一実施態様例を説明するための模式的な断面図である。
【符号の説明】
１    起毛布
１１  起毛面
２    発泡アクリル系樹脂エマルジョンによる層
【図１】
0004530512.tif 000002